(57)【特許請求の範囲】
【請求項１】
ＯＳＤ(On Screen Display)におけるトランスペアレント具現装置において、
背景画像を表示するためのＹＵＶ画像データを一時的に貯蔵する第１バッファと、
ＯＳＤ画像データを一時的に貯蔵する第２バッファと、前記ＯＳＤ及びＹＵＶ画像データのうちトランスペアレントに選択された背景色識別データを貯蔵するレジスタと、
ＯＳＤトランスペアレントモードでは前記ＯＳＤ画像データのうち背景色のデータを識別し、前記トランスペアレントに選択されたＯＳＤ背景色の入力を知らせる第１論理データを出力する第１比較部と、
ＹＵＶトランスペアレントモードでは前記ＹＵＶ画像データのうち背景色のデータを識別し、前記トランスペアレントに選択されたＹＵＶ背景色の入力を知らせる第２論理データを出力する第２比較部と、
前記第１比較部から受信される前記第１論理データと前記レジスタから受信されるトランスペアレント機能の遂行を示す制御データを論理積し、前記論理積された値を反転して出力する第１論理装置と、
前記第２比較部から受信される前記第２論理データと前記レジスタから受信されるトランスペアレント機能の遂行を示す制御データとを論理積し、前記論理積された値を出力する第２論理装置と、
前記第１論理装置及び第２論理装置の出力データを受信し、前記レジスタに貯蔵されたＯＳＤ／ＹＵＶトランスペアレント選択信号によって前記第１バッファ及び第２バッファからＯＳＤ画像データ及びＹＵＶ画像データのいずれか１つを選択的に出力するマルチプレクサと、から構成されることを特徴とするトランスペアレント具現装置。
【請求項２】
前記第１論理装置は、ＮＡＮＤゲート(Nand Gate)であることを特徴とする請求項１記載のトランスペアレント具現装置。
【請求項３】
前記第２論理装置は、入力端を通して前記第２比較部から前記第２論理データを受信し、他の入力端を通して前記トランスペアレント機能遂行制御データを受信して、前記受信された値を論理積するＡＮＤゲート(And Gate)であることを特徴とする請求項１記載のトランスペアレント具現装置。
【請求項４】
前記レジスタは、制御部から、ＯＳＤトランスペアレントに選択されたＯＳＤ背景色識別データ、ＹＵＶトランスペアレントに選択されたＹＵＶ背景色識別データ、使用者からのトランスペアレント要求によって前記ＯＳＤ／ＹＵＶトランスペアレント機能を活性化するために使用されるトランスペアレント機能遂行制御データ、及び前記ＯＳＤ／ＹＵＶ画像データに対して前記トランスペアレント機能が遂行されるか否かを示すＯＳＤ／ＹＵＶトランスペアレント選択データを受信し、前記受信されたデータをそれぞれの領域に貯蔵することを特徴とする請求項１記載のトランスペアレント具現装置。
【請求項５】
前記第１バッファは、受信されたＹＵＶ画像データを入力され、前記マルチプレクサの出力データである出力制御信号によって前記ＹＵＶ画像データを選択的に出力する３ステートバッファであることを特徴とする請求項１記載のトランスペアレント具現装置。
【請求項６】
前記第２バッファは、受信されたＯＳＤ画像データを入力され、前記マルチプレクサの出力データである出力制御信号によって前記ＯＳＤ画像データを選択的に出力する３ステートバッファであることを特徴とする請求項１記載のトランスペアレント具現装置。
【発明の詳細な説明】
【０００１】
【発明の属する技術分野】
本発明は、移動通信端末機に関し、特に、移動通信端末機においてＯＳＤ(On Screen Display)／ＹＵＶトランスペアレント(transparent)機能を具現する装置及び方法に関する。
【０００２】
【従来の技術】
通常、ＯＳＤ技術は、テレビジョンのような映像処理システムだけでなく、パソコン及び移動通信端末機などにも幅広く使用されている。前記ＯＳＤ機能は、一般的に、テレビジョンにおいて選択されたチャネルの表示及び時間表示などの付加情報を表示し、コンピュータや移動通信端末機においては色々な形態の文字をＹＵＶ背景画像と共に表示する。
【０００３】
しかしながら、従来のＯＳＤ技術は、パソコンのモニター、テレビ受像機、または移動通信端末機の表示部のＯＳＤ背景色領域が、初期背景画像を覆ってしまうことになる問題点がある。前記のような問題点を解決するために、前記ＯＳＤ背景色の領域をトランスペアレント化させる場合は、同一の色のみがトランスペアレントになるので、使用者が、必要によって、特定の色を変更及び設定することができないという問題点がある。
【０００４】
【発明が解決しようとする課題】
従って、本発明の目的は、映像表示装置のＯＳＤ表示において、ＯＳＤ背景色が初期の背景画面を覆うことを防止するトランスペアレント具現装置及び方法を提供することにある。
【０００５】
本発明の他の目的は、背景画面の表示のためにＹＵＶ画像データに対するトランスペアレント具現装置及び方法を提供することにある。
【０００６】
【課題を解決するための手段】
前記のような目的を達成するための本発明は、トランスペアレントを具現する装置及び方法を提供する。使用者がトランスペアレント機能を選択すると、ＯＳＤトランスペアレントモードにおいて、使用者によってトランスペアレントに選択された特定の背景色を認識し、前記ＯＳＤ背景色識別データを受信すると、前記ＯＳＤ背景色のデータの代わりに挿入されたＹＵＶ画像データを持って画像を表示する。ＹＵＶトランスペアレントモードにおいて、使用者によってトランスペアレントに選択された特定の背景色を認識し、ＹＵＶ背景色のデータを受信すると、前記ＹＵＶ背景色のデータの代わりに挿入されたＯＳＤ画像データを持って画像を表示する。
【０００７】
【発明の実施の形態】
本発明の望ましい実施形態を添付図面を参照して詳細に説明する。下記説明において、本発明の要旨を明確にするために関連した公知機能または構成に対する具体的な説明は省略する。
【０００８】
図１は、本発明の実施形態によって、ＯＳＤ及び背景画面ＹＵＶ画像データに対するトランスペアレント機能が具現できる移動通信端末機の概略的なブロック図である。図１を参照すると、ＲＦ(Radio Frequency)モジュール１００は、ＲＦ処理部、中間周波数(Intermediate Frequency: ＩＦ)処理部、及び基底帯域処理部を含む。前記ＲＦモジュール１００は、まずＲＦ信号を処理し、前記ＲＦ信号をＩＦ信号にダウンコンバートし、また前記ＩＦ信号を制御部１０４で処理できる基底帯域のビットストリームにダウンコンバートする。前記ＲＦモジュール１００は、送信部と受信部に区分される。前記受信部は、雑音の増幅を最大に抑制して所望する信号を増幅し、前記増幅された信号をＩＦ信号に変換してから基底帯域信号に変換し、前記アナログ基底帯域信号をデジタル信号に変換する。前記デジタル信号は、前記制御部１０４で分析されて処理される。前記送信部は、前記制御部１０４から生成された信号を所望する周波数帯域に変調し、前記変調された信号を増幅して、デュプレクサ(図示せず)及びアンテナを通して放射する。
【０００９】
前記制御部１０４は、移動通信端末機の全般的な動作を制御し、使用者によってトランスペアレントに選択された背景色の識別データをトランスペアレント具現装置１０８のレジスタに貯蔵する。メモリ１１４は、前記制御部１０４の動作プログラム、前記制御部１０４のプログラムの遂行によって発生するデータ、ＯＳＤ表示のためのフォントデータ及び背景画面データを一時的に貯蔵する。キーパッド１０２は、文字キー、数字キー、及び機能キーを含むキーマトリックス構造であり、使用者が押すキーに対応するキー入力信号を前記制御部１０４に提供する。
【００１０】
ＯＳＤ１０６は、背景画面及びカラーＬＣＤフォントのカラーデータ(color data)を処理し、内部のエンコーダーを通してデータのＲＧＢ信号をＬＣＤ駆動部１１０に印加する。前記ＬＣＤ駆動部１１０は、前記制御部１０４の制御によって、ＬＣＤ１１２の動作を制御する。前記ＬＣＤ１１２は、前記制御部１０４の制御によって、移動通信端末機の動作状態及びＯＳＤデータを表示する。前記トランスペアレント具現装置１０８は、前記制御部１０４からトランスペアレント制御データを受信して前記制御データによってレジスタ値に更新し、前記ＯＳＤ１０６から受信されるＯＳＤ画像データから前記トランスペアレントに選択された識別データに該当する背景色を除去し、前記変更されたＯＳＤ画像を前記ＬＣＤ駆動部１１０に出力する。
【００１１】
図２は、前記トランスペアレント具現装置１０８の詳細ブロック図であり、図３(ａ)乃至図３(ｄ)は、前記トランスペアレント具現装置１０８において、ＯＳＤ画像データから特定の背景色を除去する動作における画面表示の例を示す。図２乃至図３(ｄ)を参照して、本発明の実施形態によるトランスペアレント具現装置１０８の動作を詳細に説明する。
【００１２】
一般的に、前記ＯＳＤ１０６から発生するＯＳＤ画像データは、図３(ａ)に示すように、特定の背景色上に文字形態で構成される。前記ＯＳＤ画像データは、本発明の実施形態によって、前記トランスペアレント具現装置１０８の内の比較部２０６の一側の入力端に提供されると共に、第２バッファ２０２に貯蔵される。
【００１３】
使用者から特定の背景色に対するトランスペアレントの要求があると、前記制御部１０４は、トランスペアレント識別データを前記比較部２０６の他側の入力端に連結されたレジスタ２０８に貯蔵する。前記トランスペアレント識別データは、前記ＯＳＤ画像データのうち使用者によって選択された特定の背景色を識別し、前記ＬＣＤ１１２内の前記ＯＳＤ画像データから前記背景色を除去するために使用される。前記レジスタ２０８に貯蔵されたトランスペアレント識別データに該当する背景色のデータを受信すると、前記比較器は、マルチプレクサ２０４に選択制御信号を出力して、前記マルチプレクサ２０４が前記ＯＳＤ背景色のデータでなく、第１バッファ２００でバッファリングされる背景画面表示のためのＹＵＶ画像データを出力するようにする。従って、図３(ｂ)に示す背景画像が前記ＬＣＤ１１２に表示される場合、図３(ａ)に示す前記ＯＳＤ画像データから前記トランスペアレントに選択された背景色を除去した図３(ｃ)のＯＳＤ画像データ、及び図３(ｂ)に示す前記ＹＵＶ画像は、重畳されて図３(ｄ)に示す最終の画像を形成する。
【００１４】
本発明の実施形態において、使用者がＯＳＤ画像の背景色を選択的に除去することができるので、ＯＳＤ画像の背景色によって背景画像が隠されることがない。
【００１５】
図４は、本発明の他の実施形態によって、ＯＳＤ及びＹＵＶデータを選択的にトランスペアレント化するトランスペアレント具現装置１０８の詳細ブロック図である。図５(ａ)乃至図６(ｄ)は、図４のトランスペアレント具現装置１０８において、前記ＯＳＤ及びＹＵＶデータから特定の背景色を除去する動作における画面の例を示す。
【００１６】
一般的に、ＯＳＤ画像データ及びＹＵＶ画像データは、図５(ａ)乃至図６(ｄ)に示すように、特定の色の背景上にテキストまたはグラフィック形態で構成される。前記ＯＳＤ画像データ及びＹＵＶ画像データは、それぞれトランスペアレント具現装置１０８内の第１比較部４００及び第２比較部４１０の一側の入力端に入力され、同時に、それぞれトランスペアレント装置１０８内の第１バッファ４０２及び第２バッファ４１４に入力される。
【００１７】
使用者が前記ＯＳＤ画像データまたはＹＵＶ画像データの特定の背景色に対するトランスペアレントを要求すると、前記制御部１０４は、前記トランスペアレントに選択された特定の背景色を識別するトランスペアレント識別データを、前記第１比較部４００及び第２比較部４１０の他側の入力端に連結されたレジスタ４１２の領域ＲＥＧ２またはＲＥＧ３に貯蔵する。前記トランスペアレント識別データは、前記ＬＣＤ１１２においてＯＳＤ画像データまたはＹＵＶ画像データから前記選択された背景色を除去するために使用される。つまり、前記レジスタ４１２は、前記ＯＳＤ画像データのうち前記トランスペアレントに選択された背景色の識別データ、及び前記ＹＵＶ画像データのうち前記トランスペアレントに選択された背景色の識別データを別の領域に貯蔵して、該比較部４００及び４１０に提供する。さらに、前記レジスタ４１２は、前記トランスペアレント具現装置１０８を活性化するトランスペアレント制御データを前記背景色識別データと別に領域ＲＥＧ４に貯蔵する。前記制御部１０４からトランスペアレント中止命令を受信すると、前記第１比較部４００及び第２比較部４１０が前記トランスペアレント識別データを出力することを防止するために、前記トランスペアレント制御データの反転されたデータが、前記第１比較部４００の出力に連結されるＮＡＮＤゲート(Nand Gate)４０４の入力端及び前記第２比較部４１０の出力に連結されるＡＮＤゲート(And Gate)４０８の入力端に印加される。前記レジスタ４１２は、ＯＳＤ／ＹＵＶトランスペアレント機能の選択に使用されるトランスペアレント選択データを貯蔵し、前記制御部１０４の制御によって、前記トランスペアレント選択データを前記ＮＡＮＤゲート４０４及びＡＮＤゲート４０８の出力端に連結されたマルチプレクサ４０６に選択制御信号として印加する。従って、前記ＯＳＤ及びＹＵＶトランスペアレント機能が選択的に遂行される。
【００１８】
前記トランスペアレント選択データによる前記ＯＳＤトランスペアレント及びＹＵＶトランスペアレント動作を順次に説明する。
【００１９】
使用者からＯＳＤトランスペアレントモードの要求がある場合、前記制御部１０４は、トランスペアレント機能の遂行のためのトランスペアレント制御データ、前記ＯＳＤトランスペアレント機能を選択するためのトランスペアレント選択データ、及び使用者によって選択された背景色の識別データを、前記レジスタ４１２に印加する。前記トランスペアレント識別データは、前記ＯＳＤ画像データのうち前記使用者によって選択された背景色を識別し、前記ＯＳＤ画像データから前記選択された背景色を前記ＬＣＤ１１２から除去するために使用される。つまり、第２比較部４１０は、前記レジスタ４１２の領域ＲＥＧ３から前記ＯＳＤトランスペアレント識別データに該当する背景色のデータを受信する場合、論理値“１”を前記ＡＮＤゲート４０８に出力する。その次に、前記ＡＮＤゲート４０８は、前記論理値“１”とトランスペアレント遂行のために論理値“１”に設定された領域ＲＥＧ４の制御データを論理積し、前記マルチプレクサ４０６に前記論理積された値を出力する。さらに、前記マルチプレクサ４０６は、前記ＮＡＮＤゲート４０４を通して前記ＹＵＶ画像データのトランスペアレントのために前記第１比較部４００の出力を受信する。前記選択制御信号として使用される前記ＯＳＤトランスペアレント選択データによって、前記マルチプレクサ４０６は、ＹＵＶ画像データ及びＯＳＤ画像データが入力される３ステートバッファ(three-state buffer)４０２及び４１４の出力制御信号として、前記ＡＮＤゲート４０８の出力のみを出力する。従って、前記マルチプレクサ４０６から出力されたＯＳＤデータのトランスペアレントのための論理値“１”は、前記第２バッファ４１４からの前記ＯＳＤ画像データの出力を防止し、前記ＹＵＶ画像データが前記ＬＣＤ駆動部１１０に出力されるように前記第１バッファ４０２を制御する。従って、図５(ａ)の背景画像が前記ＬＣＤ１１２に表示される場合、図５(ｂ)のＯＳＤ画像データから前記トランスペアレントに選択された特定の背景色を除去した図５(ｃ)のＯＳＤ画像、及び図５(ａ)の前記ＹＵＶ画像データは、重畳されて図５(ｄ)に示す最終の画像を形成する。
【００２０】
使用者によってＹＵＶトランスペアレントモードの要求がある場合、前記制御部１０４は、前記ＹＵＶトランスペアレント機能を選択するためのトランスペアレント選択データ及び使用者によってトランスペアレントに選択された背景色の識別データを、前記レジスタ４１２に提供する。前記トランスペアレント識別データは、前記ＹＵＶ画像データのうち前記トランスペアレントに選択された特定の背景色を識別し、前記ＬＣＤにおいて前記ＹＵＶ画像データから前記トランスペアレントに選択された背景色を除去するために使用される。つまり、前記第１比較部４００は、前記レジスタ４１２の領域ＲＥＧ２に貯蔵された前記ＹＵＶトランスペアレント識別データに該当する背景色のデータを受信すると、論理値“１”を前記ＮＡＮＤゲート４０４に出力する。その次に、前記ＮＡＮＤゲート４０４は、前記論理値“１”とトランスペアレント遂行のために論理値“１”に設定された前記領域ＲＥＧ４の制御データをＮＡＮＤ演算し、前記ＮＡＮＤ演算された値を前記マルチプレクサ４０６に出力する。前記マルチプレクサ４０６は、さらに、前記ＡＮＤゲート４０８を通して前記ＯＳＤ画像データのトランスペアレントのための前記第２比較部４１０の出力を受信する。前記マルチプレクサ４０６は、選択制御信号として使用されるＹＵＶトランスペアレント選択データによって、ＹＵＶ画像データ及びＯＳＤ画像データが入力される３ステートバッファのための出力制御信号として、前記ＮＡＮＤゲート４０４の出力のみを出力する。従って、前記マルチプレクサ４０６から出力されたＹＵＶデータのトランスペアレントのための前記論理値“０”は、第１バッファ４０２からの前記ＹＵＶ画像データの出力を防止し、前記ＯＳＤ画像データが前記ＬＣＤ駆動部１１０に出力されるように前記第２バッファ４１４を制御する。
【００２１】
従って、図６(ａ)に示す背景画像が前記ＬＣＤ１１２に表示される場合、図６(ａ)の前記ＹＵＶ画像データから前記トランスペアレントに選択された特定の背景色を除去した図６(ｂ)のＹＵＶ画像、及び図６(ｃ)のＯＳＤ画像は、重畳されて図６(ｄ)に示す最終の画像を形成する。従って、前記ＯＳＤ画像データだけでなく前記ＹＵＶ画像データでも前記トランスペアレント機能を遂行することができる。
【００２２】
一方、前記本発明の詳細な説明では具体的な実施形態に挙げて説明してきたが、本発明の範囲内で様々な変形が可能であるということは勿論である。本発明の実施形態においては、例えば、ＯＳＤ背景色及び背景画面ＹＵＶ画像データのトランスペアレント機能を説明しているが、本発明は、さらに、ＯＳＤまたはＬＣＤを有するいずれの装置にも適用することができる。従って、本発明の範囲は前記実施形態によって限られるべきではなく、特許請求の範囲とそれに均等なものによって定められるべきである。
【００２３】
【発明の効果】
前述してきたように、本発明は、移動通信端末機のＬＣＤ上において、ＯＳＤ／ＹＵＶ画像から特定の背景色に対するトランスペアレントの遂行ができるようにする。従って、使用者の選択によって、前記ＯＳＤ／ＹＵＶ画像において特定の色を自由に変更することができる。さらに、停止画像、動画像、アニメーションなどが表示されている状態で、現在進行状態及び機能支援事項に関連するメッセージを出力することができる。
【図面の簡単な説明】
【図１】  本発明の実施形態によるトランスペアレント具現装置を備える移動通信端末機のブロック図である。
【図２】  本発明の実施形態によるトランスペアレント具現装置のブロック図である。
【図３】  （ａ）〜（ｄ）ともに、本発明の実施形態によるトランスペアレント機能の具現における表示画面の例示図である。
【図４】  本発明の他の実施形態によるトランスペアレント具現装置のブック図である。
【図５】  （ａ）〜（ｄ）ともに、本発明の他の実施形態によるＯＳＤ／ＹＵＶトランスペアレント機能の具現における表示画面の例示図である。
【図６】  （ａ）〜（ｄ）ともに、本発明の他の実施形態によるＯＳＤ／ＹＵＶトランスペアレント機能の具現における表示画面の例示図である。
【図面の簡単な説明】
１００  ＲＦモジュール
１０２  キーパッド
１０４  制御部
１０６  ＯＳＤ
１０８  トランスペアレント具現装置
１１０  ＬＣＤ駆動部
１１２  ＬＣＤ
１１４  メモリ
２００  第１バッファ
２０２  第２バッファ
２０４  マルチプレクサ
２０６  比較部
２０８  レジスタ
４００  第１比較部
４０２  第１バッファ
４０４  ＮＡＮＤゲート(Nand Gate)
４０６  マルチプレクサ
４０８  ＡＮＤゲート(And Gate)
４１０  第２比較部
４１２  レジスタ
４１４  第２バッファ
【図１】
0003782967.tif 000002
【図２】
0003782967.tif 000003
【図３】
0003782967.tif 000004
【図４】
0003782967.tif 000005
【図５】
0003782967.tif 000006
【図６】
0003782967.tif 000007